(57)【要約】【課題】  被災地における避難先となる体育館の床に敷いて、被災者の身体が冷えるのを防止する機能を備えた簡易間仕切りを得ることである。【解決手段】  帯状に切断されたダンボール紙の両端を連結して作った衝立部材と、その衝立部材の内側に敷き詰められる床材とからなり、その床材を四角形に切断された座面板と、その座面板の周縁を一側へ折り曲げて作られた側面板とによって下面が開く箱状に形成し、その側面板の内側に形成される四角形の窪みの中に、前記座面板を支えるためダンボール紙によって作られた支持部材を収めた。【選択図】図１
2006241885.tif 000002
【特許請求の範囲】
【請求項１】
帯状に切断されたダンボール紙の両端を連結して環状に形成された衝立部材と、その衝立部材の内側に敷かれる床材とを有し、その床材を四角形に切断された座面板と、その座面板の周縁を一側へ折り曲げて作られた側面板とによって下面が開く箱状に形成し、その側面板の内側に形成される四角形の窪みの中に、前記座面板を支えるためダンボール紙によって作られた支持部材を収めてなる簡易間仕切り。
【請求項２】
衝立部材とその衝立部材の内側に敷き詰められる床材とからなり、前記床材を所定の厚さのある概ね正方形に形成するとともに、前記衝立部材を帯状に切断されたダンボール紙により、前記床材の一辺よりやゝ長い寸法で一側と他側とに交互に折返して略正方形に畳み可能に構成し、両者を重ねた状態で、少なくとも対向する２個の面を前記衝立部材や床材よりやゝ大きい略正方形に形成したダンボール紙製の保管箱へ収納可能に構成してなる簡易間仕切り。
【発明の詳細な説明】
【技術分野】
【０００１】
本発明は、震災や風水害などの被災地で一時的に使用するのに好適な、簡易間仕切りに関するものである。
【背景技術】
【０００２】
一般に、災害時の避難先には学校の講堂や体育館のような広い床面積を備えた場所が選ばれることが多い。そのような避難先では、被災者がふとんや毛布、日用品などの支給品や、自宅から持ち出した小物だけを持って、家族単位で生活するよう設定される。そこでは、就寝時のプライバシーを守るため、ダンボール紙によって作られた衝立状の簡易間仕切りが使用される
【特許文献１】。
【０００３】
他方、そのような避難先として選ばれる体育館や講堂の床面には暖房手段が設けてないので、そこに直接あるいは布団を介して間接に寝起きすると、床面に吸熱されて身体が冷えてしまう欠点があった。
【０００４】
この改善策として、従来から非常用として地方自治体が、ふとん、毛布、マットなどの床面上に敷いて保温を図る敷物を準備しているのであるが、それらの敷物は非常用として蓄えられるものであるため、日常の保管や、災害時の運搬、あるいは用済み後の廃却の際の便宜を併せて考慮されるため、断熱性や居住性が十分でなく、布団や毛布を敷いた程度では十分な暖かさを保つことが難しく、幼児や高齢者につらい環境となりやすかった。
【０００５】
また、従来から被災地で必須の用具とされる家族ごとの間仕切りも、折畳みが可能なダンボール紙で作られていたため（
【特許文献１】）変形しやすく、内部に布団や毛布を敷いたとき、倒れやすくなって、衝立としての機能が損なわれることがあった。
【特許文献１】特開平６−６２９４２号公報
【発明の開示】
【発明が解決しようとする課題】
【０００６】
この発明が解決しようとする問題点は、避難先となる建物の床面を覆って、その上に居住する被災者の快適性を向上させるとともに、運搬や保管、あるいは使用後の廃却が容易な床材を得ることである。
【課題を解決するための手段】
【０００７】
本発明は、帯状に切断されたダンボール紙の両端を連結して環状に形成された衝立部材と、その衝立部材の内側に敷かれる床材とを有し、その床材を四角形に切断された座面板と、その座面板の周縁を一側へ折り曲げて作られた側面板とによって下面が開く箱状に形成し、その側面板の内側に形成される四角形の窪みの中に、前記座面板を支えるためダンボール紙によって作られた支持部材を収めたことを最も主要な特徴とする。
【発明の効果】
【０００８】
本発明に係る簡易間仕切りは、要部である衝立部材と床材とがダンボール紙によって分離可能に作られているため、保管や運搬が容易である。また、合成樹脂の使用量が少ないため使用後の廃棄や再生が容易である。また、床材は構造が簡単で製造しやすく遮熱性がよいから、床面が冷えていても、そこに敷くことによって被災者の居住性を高めることができる、などの利点がある。
【発明を実施するための最良の形態】
【０００９】
床面からの遮熱性がよく、かつ、保管や使用後の廃却または再生が容易な床材を得るという目的を、ダンボール紙の利用によって生産性や経済性を損うことなく実現した。
【実施例１】
【００１０】
図１は、本願発明の一実施例である簡易間仕切り１０を示す外観図である。簡易間仕切り１０は、ダンボール紙を折り曲げて作られた衝立部材２０と、その内側に敷かれる床材３０からなる。
【００１１】
衝立部材２０は、約６０ｃｍの長さで交互に反対側へ折り曲げて作られた帯状の部材からなっており、その両端部をガムテープ２２で連結して環状にしたものである。なお、２４は前記交互に折り返された部分に付けられた曲げ線であり、折り曲げを容易にするために付けられている。２６は衝立部材２０の端部に作られた出入りのための開閉扉である。なお、以上に説明した衝立部材２０は市販されている簡易間仕切りの構成と大差ない。
【００１２】
床材３０はダンボール紙を主材料として作られており、前記衝立部材２０の内面底部に複数個が嵌め込んであって、衝立部材２０を補強し、内側へ折れるのを防止して本来の形状を保持させる。また、簡易間仕切り１０の中に居住する居住者Ｐが、避難先の体育館や講堂などの床面Ｆへ直接に座ったり、横臥したりしなくてよいようにして、その上に居住する人の体温が床面Ｆに奪われるのを最少にする。さらに、床材３０自体もダンボール紙によって作られているとはいえ、略箱状にして座面を床面Ｆから引き離しているので、一層すぐれた遮熱性が得られている。
【００１３】
床材３０の構造は図２で示すように、ダンボール紙によって作られた略正方形の座面板３２と、その周縁から一側へ折曲げられた４枚の側面板３４、３４とともに、下方が開く箱状に形成されている。この形状は図６で示す展開図に沿って切断された型紙４０を折り曲げて組み立てられる。
【００１４】
型紙４０は座面板３２を中心にして、そこから四方へ伸びる側面板３４、３４が連続している。細い線で描かれた線４２は折曲げ線であり、同一方向へ折曲げられる。４個の側面板３４、３４のうち、対向する一対には底板４４、４４が連続し、さらに案内板４６が連続している。対向する他の一対には前記側面板３４、３４の側方に係合舌４８が連続している。型紙４０は以上のように作られているので、組み立てられると、図２、図３で示すように、箱状を呈する。
【００１５】
前記座面板３２は前記衝立部材２０の内側へ敷きつめることのできるよう一辺の長さが、衝立部材２０の一辺よりやゝ短く作られている。そして、図３で示すように側面板３４、３４によって囲まれた前記座面板３２の裏側には、その座面板３２を下側から支える支持部材３６が接着してある。
【００１６】
よって、座面板３２がダンボール紙で作られているにもかかわらず、その裏面が支持部材３６によって支えられているので、居住者Ｐが前記座面板３２の上に座ったり、横臥したりしても、その体重によって変形することがなく平坦な形状が維持できる。また、座面板３２と床面Ｆとの間隔が保持され、座面板３２から床面Ｆへの放熱が少ないから、床材３０の上に居住する人の体温が床面Ｆに奪われることがなく快適に生活できる。
【００１７】
この実施例において、前記支持部材３６は、前記座面板３２の下方に形成される四角形の空間よりやゝ小さく、かつ、厚くなるよう接着された複数のダンボール紙３８、３８からなっている。なお、支持部材３６の外面に現われるダンボール紙３８の端面は、前記側面板３４、３４によって覆われるから、外面に表われず床材３０の美観を損ねることがない。
【００１８】
ダンボール紙３８、３８は図４で示すように、表裏に配された面材３８ａ、３８ａの間に波形に屈曲させた芯材３８ｂを介在させ、それらの間を接着させたものであるから、それ自体が保温性や厚さ方向の剛性が高い上、それらの複数枚を重ねて用いているので、一層高い遮熱性が得られる。
【００１９】
なお、前記支持部材３６は、上記実施例で示す構成に限るものではなく、変形したものに代えて実施することが可能である。図５は支持部材３６の変形例を示すもので、図中、３６ａは前記側面板３４、３４の高さと略同じ寸法の幅に切断された帯状のダンボール紙を渦巻き状に巻回したスペーサであり、その端面に渦巻きの形を保持するための端板３６ｂを接着したものである。
【００２０】
この変形例によれば、スペーサ３６ａの高さを変更することにより、ダンボール紙の使用量を大きく増やすことなく、支持部材３６の高さを比較的高く設定でき設計上の自由度が増す便利さがある。
【００２１】
図７には簡易間仕切りの梱包状態を示してある。この実施例では、衝立部材２０を交互に反対側へ折り畳み、床材３０は、四角形の窪みの中にすでに支持部材３６を接着した状態でダンボール箱５０に梱包してある。よって、開封後すぐに間仕切り１０を組み立てて使用することが出来るようになっている。
【図面の簡単な説明】
【００２２】
【図１】本願発明の一実施例を示す、簡易間仕切りの外観図である。
【図２】図１中の要部である床材の表面を拡大して示す外観図である。
【図３】図２で示す床材の裏面を示す分解外観図である。
【図４】ダンボール紙の一部を示す外観図である。
【図５】支持部材の変形例を示す外観図である。
【図６】支持部材の要部を示す展開図である。
【図７】簡易間仕切りの梱包状態を示す説明図である。
【符号の説明】
【００２３】
１０    簡易間仕切り
２０    衝立部材
２２    ガムテープ
２４    曲げ線
２６    開閉扉
３０    床材
３２    座面板
３４    側面板
３６    支持部材
３６ａ  スペーサ
３６ｂ  端板
３８    ダンボール紙
３８ａ  面材
３８ｂ  芯材
４０    型紙
４２    折曲げ線
４４    底板
４６    案内板
４８    係合舌
５０    ダンボール箱
Ｆ      床面
Ｐ      居住者
【図１】
2006241885.tif 000003
【図２】
2006241885.tif 000004
【図３】
2006241885.tif 000005
【図４】
2006241885.tif 000006
【図５】
2006241885.tif 000007
【図６】
2006241885.tif 000008
【図７】
2006241885.tif 000009